(57)【特許請求の範囲】
【請求項１】
情報を記憶するＩＣ回路部と情報を送受信するタグ側アンテナとを備えた無線タグ回路素子を有するプリンタ用無線タグであって、
前記ＩＣ回路部は、
プリンタでの印刷実行を指示可能な操作器より無線通信を介して前記タグ側アンテナで受信したプリンタ個体識別情報が、前記プリンタのプリンタ個体識別情報と合致するかどうかを判定する第１判定手段を備えることを特徴とするプリンタ用無線タグ。
【請求項２】
請求項１記載のプリンタ用無線タグにおいて、
前記ＩＣ回路部は、
前記受信したプリンタ個体識別情報と前記プリンタのプリンタ個体識別情報とが合致すると前記第１判定手段で判定された場合、前記タグ側アンテナで受信され前記プリンタ個体識別情報に対応した印刷データ又は前記印刷データの格納先情報を記憶する第１記憶手段
を備えることを特徴とするプリンタ用無線タグ。
【請求項３】
請求項２記載のプリンタ用無線タグにおいて、
前記ＩＣ回路部は、
前記第１記憶手段への前記印刷データ又は前記印刷データの格納先情報の記憶後、無線通信を介し、前記操作器に対し前記印刷データ又は前記印刷データの格納先情報の書き込み完了通知を出力する書き込み完了通知出力手段
を備えることを特徴とするプリンタ用無線タグ。
【請求項４】
請求項２記載のプリンタ用無線タグにおいて、
前記ＩＣ回路部は、
前記受信したプリンタ個体識別情報と前記プリンタのプリンタ個体識別情報とが合致すると前記第１判定手段で判定された場合、前記第１記憶手段への印刷データ又は前記印刷データの格納先情報の記憶に先立ち、前記第１記憶手段の残余記憶容量を検出する容量検出手段
を備えることを特徴とするプリンタ用無線タグ。
【請求項５】
請求項４記載のプリンタ用無線タグにおいて、
前記容量検出手段で検出した前記第１記憶手段の残余記憶容量に応じて、無線通信を介し、前記操作器に対し前記印刷データ又は前記印刷データの格納先情報の送信許可通知を出力する許可通知出力手段
を備えることを特徴とするプリンタ用無線タグ。
【請求項６】
請求項２乃至請求項５のいずれか１項記載のプリンタ用無線タグにおいて、
前記プリンタより入力した読み取り指示信号に応じて、前記第１記憶手段に記憶した前記印刷データ又は前記印刷データの格納先情報、若しくは、その複写データを、前記プリンタへ出力する印刷データ出力手段を備えることを特徴とするプリンタ用無線タグ。
【請求項７】
請求項６記載のプリンタ用無線タグにおいて、
印刷データ出力手段は、前記読み取り指示信号に応じて、前記第１記憶手段に記憶した前記印刷データ又は前記印刷データの格納先情報の前記複写データを前記プリンタへ出力し、
前記プリンタより入力した印刷完了通知に応じて、前記第１記憶手段に記憶した前記印刷データ又は前記印刷データの格納先情報を消去処理する第１印刷データ消去手段を設けた
ことを特徴とするプリンタ用無線タグ。
【請求項８】
請求項１記載のプリンタ用無線タグにおいて、
前記ＩＣ回路部は、
前記受信したプリンタ個体識別情報と前記プリンタのプリンタ個体識別情報とが合致しないと前記第１判定手段で判定された場合、無線通信を介し、前記操作器に対し前記印刷データ又は前記印刷データの格納先情報の送信不許可通知を出力する不許可通知出力手段
を備えることを特徴とするプリンタ用無線タグ。
【請求項９】
請求項１乃至請求項８にいずれか１項記載のプリンタ用無線タグにおいて、
前記プリンタに対し有線接続するための外部出力端子を有することを特徴とするプリンタ用無線タグ。
【請求項１０】
被印刷物に印刷データの印刷を行う印刷手段を有するプリンタであって、
前記プリンタでの印刷実行を指示可能な操作器より無線通信を介しプリンタ用無線タグが取得した印刷データ又は前記印刷データの格納先情報及びプリンタ個体識別情報のうち、前記プリンタ個体識別情報を、前記プリンタ用無線タグとの通信により取得する識別情報取得手段と、
前記識別情報取得手段で取得したプリンタ個体識別情報が、前記プリンタのプリンタ個体識別情報と合致するかどうかを判定する第２判定手段とを有する
ことを特徴とするプリンタ。
【請求項１１】
請求項１０記載のプリンタにおいて、
前記プリンタ用無線タグに設けた外部出力端子に有線接続されており、
前記識別情報取得手段は、
前記プリンタ用無線タグが取得した前記プリンタ個体識別情報を、前記外部出力端子を介した有線接続通信により取得する
ことを特徴とするプリンタ。
【請求項１２】
請求項１０記載のプリンタにおいて、
前記プリンタ用無線タグと無線通信を行うためのプリンタ側アンテナを有し、
前記識別情報取得手段は、
前記プリンタ用無線タグが取得した前記プリンタ個体識別情報を、前記プリンタ側アンテナを介し、無線通信により取得する
ことを特徴とするプリンタ。
【請求項１３】
請求項１０乃至請求項１２のいずれか１項記載のプリンタにおいて、
前記識別情報取得手段で取得したプリンタ個体識別情報と前記プリンタのプリンタ個体識別情報とが合致すると前記第２判定手段で判定された場合、そのプリンタ個体識別情報に対応する、前記操作器より無線通信を介し前記プリンタ用無線タグで取得された前記印刷データ又は前記印刷データの格納先情報を取得するデータ取得手段を有し、
前記印刷手段は、
前記データ取得手段での取得結果に基づき、前記被印刷物に前記印刷データの印刷を行う
ことを特徴とするプリンタ。
【請求項１４】
請求項１３記載のプリンタにおいて、
前記データ取得手段で取得した前記印刷データ又は前記印刷データの格納先情報を記憶する第２記憶手段を有し、
前記印刷手段は、
前記第２記憶手段での記憶結果に基づき、前記被印刷物に前記印刷データの印刷を行う
ことを特徴とするプリンタ。
【請求項１５】
請求項１３又は請求項１４記載のプリンタにおいて、
前記データ取得手段は、
前記操作器より無線通信を介し前記プリンタ用無線タグで取得された前記印刷データの格納先情報を取得し、
その取得した前記格納先情報を用いて前記印刷データの格納先へアクセスし、前記印刷データを取得する印刷データアクセス手段を設け、
前記印刷手段は、
前記印刷データアクセス手段で取得した前記印刷データを前記被印刷物に印刷する
ことを特徴とするプリンタ。
【請求項１６】
請求項１０乃至請求項１２のいずれか１項記載のプリンタにおいて、
前記識別情報取得手段で取得したプリンタ個体識別情報と前記プリンタのプリンタ個体識別情報とが合致しないと前記第２判定手段で判定された場合、そのプリンタ個体識別情報に対応する、前記操作器より無線通信を介し前記プリンタ用無線タグで取得された前記印刷データ又は前記印刷データの格納先情報を、消去処理する第２印刷データ消去手段を有する
ことを特徴とするプリンタ。
【請求項１７】
請求項１３乃至請求項１５のいずれか１項記載のプリンタにおいて、
前記印刷による印刷完了後、
その印刷に対応する、前記操作器より無線通信を介し前記プリンタ用無線タグで取得された前記印刷データ又は前記印刷データの格納先情報を、消去処理する第３印刷データ消去手段を有する
ことを特徴とするプリンタ。
【発明の詳細な説明】
【技術分野】
【０００１】
本発明は、外部と情報送受信可能な機能を備えプリンタの印刷用に用いられるプリンタ用無線タグ、及びこれを用いて印刷を実行するプリンタに関するものである。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
上記ＲＦＩＤシステムを例えば印刷物に適用した従来技術として、特許文献１に記載のものがある。この従来技術では、印刷物（出版物等のページ）に添付した無線タグに当該印刷物に関連するウェブサイトのＵＲＬ情報が記憶されており、リーダで当該無線タグ回路素子より無線タグ情報の読み取りを行うと当該ＵＲＬ情報を取得できる。これにより、印刷物の内容に関連するウェブサイトのＵＲＬ情報を確実且つ容易に取得可能としている。
【特許文献１】特開２００１−３０７０４２号公報
【発明の開示】
【発明が解決しようとする課題】
【０００４】
例えば携帯端末等の操作器によりウェブサイト等にアクセスし、取得した情報を印刷物として印刷したい場合がある。このような場合、一般的には、操作器とプリンタ又はパソコンとの間を物理的な配線により接続し、プリンタへデータを転送して印刷を行う必要がある。あるいは、電子メールに添付してパソコンにデータを転送し、パソコンからプリンタを操作して印刷を行う必要がある。このように操作器とプリンタとの接続やメール添付等の操作が必要である結果、操作者の操作負担が大きくなり、不便であった。
【０００５】
上記従来技術は、無線タグに印刷物に関連するウェブサイトのＵＲＬ情報を記憶させるものであり、上記のようにウェブサイト等から取得した情報を印刷するときに無線タグを活用する、という点には特に配慮されていなかった。
【０００６】
本発明の目的は、簡単な操作で操作器からプリンタへデータを転送し、印刷することができるプリンタ用無線タグ及びプリンタを提供することにある。
【課題を解決するための手段】
【０００７】
上記目的を達成するために、第１の発明は、プリンタに設けられ、情報を記憶するＩＣ回路部と情報を送受信するタグ側アンテナとを備えた無線タグ回路素子を有するプリンタ用無線タグであって、前記ＩＣ回路部は、前記プリンタでの印刷実行を指示可能な操作器より無線通信を介して前記タグ側アンテナで受信したプリンタ個体識別情報が、前記プリンタのプリンタ個体識別情報と合致するかどうかを判定する第１判定手段を備えることを特徴とする。
【０００８】
本願第１発明のプリンタ用無線タグにおいては、被印刷物に対し印刷を行うプリンタに設けられる。操作者が例えば携帯端末等の操作器を用いてプリンタでの印刷実行を指示する際には、操作器から印刷を行うためのプリンタを識別して特定するためのプリンタ個体識別情報が送信される。このプリンタ個体識別情報は無線通信を介してタグ側アンテナにおいて受信される。そして、第１判定手段が、その受信されたプリンタ個体識別情報が、このプリンタ用無線タグが設けられたプリンタと合致しているかどうかを判定する。この結果、プリンタ個体識別情報がプリンタ用無線タグが設けられたプリンタと合致する場合には、操作器からの印刷データ等をプリンタ側に送ることで操作者の意図するプリンタで印刷を行うことが可能となる。逆に、プリンタ個体識別情報がプリンタ用無線タグが設けられたプリンタと合致しない場合には、操作器からの印刷データ等をプリンタ側に送らないようにすることで操作者の意図しないプリンタで印刷を行うことを防止することが可能となる。以上のようにして操作者が操作器を用いて意図するプリンタでの印刷を実行することが可能となる結果、携帯端末等の操作器で例えばネットワーク通信により入手した情報を、プリンタ用無線タグを介し所望のプリンタで手軽かつ容易に印刷することができる。そして、操作器とプリンタ間の物理的な配線を行うことなく、確実に所望のプリンタへのデータ転送が可能となる。
【０００９】
第２発明は、上記第１発明において、前記ＩＣ回路部は、前記受信したプリンタ個体識別情報と前記プリンタのプリンタ個体識別情報とが合致すると前記第１判定手段で判定された場合、前記タグ側アンテナで受信され前記プリンタ個体識別情報に対応した印刷データ又は前記印刷データの格納先情報を記憶する第１記憶手段を備えることを特徴とする。
【００１０】
これにより、プリンタ個体識別情報がプリンタ用無線タグが設けられたプリンタと合致する場合には、操作器からの印刷データ等を第１記憶手段に記憶することで、その後プリンタ側に送ることで操作者の意図するプリンタで印刷を行うことが可能となる。
【００１１】
第３発明は、上記第２発明において、前記ＩＣ回路部は、前記第１記憶手段への前記印刷データ又は前記印刷データの格納先情報の記憶後、無線通信を介し、前記操作器に対し前記印刷データ又は前記印刷データの格納先情報の書き込み完了通知を出力する書き込み完了通知出力手段を備えることを特徴とする。
【００１２】
これにより、操作器側において、プリンタ用無線タグに送信した印刷データ等が第１記憶手段に記憶されたことを認識することができる。この結果、印刷データ等が無事にプリンタ用無線タグに書き込まれたことを、操作器において操作者側に報知することが可能となる。
【００１３】
第４発明は、上記第２発明において、前記ＩＣ回路部は、前記受信したプリンタ個体識別情報と前記プリンタのプリンタ個体識別情報とが合致すると前記第１判定手段で判定された場合、前記第１記憶手段への印刷データ又は前記印刷データの格納先情報の記憶に先立ち、前記第１記憶手段の残余記憶容量を検出する容量検出手段を備えることを特徴とする。
【００１４】
これにより、プリンタ用無線タグの第１記憶手段に新たに記憶可能なデータ量を算出することができる。
【００１５】
第５発明は、上記第４発明において、前記容量検出手段で検出した前記第１記憶手段の残余記憶容量に応じて、無線通信を介し、前記操作器に対し前記印刷データ又は前記印刷データの格納先情報の送信許可通知を出力する許可通知出力手段を備えることを特徴とする。
【００１６】
これにより、第１記憶手段に記憶可能なデータ量が十分な場合にのみ送信許可通知を出力し、第１記憶手段に記憶可能なデータ量が十分でない場合には許可通知を出力しないようにすることが可能となる。これにより、第１記憶手段の空きメモリ容量が十分でない場合に印刷データ等が操作器から送信されデータ転送エラー等が発生するのを防止することができる。
【００１７】
第６発明は、上記第２乃至第５発明のいずれか１つにおいて、前記プリンタより入力した読み取り指示信号に応じて、前記第１記憶手段に記憶した前記印刷データ又は前記印刷データの格納先情報、若しくは、その複写データを、前記プリンタへ出力する印刷データ出力手段を備えることを特徴とする。
【００１８】
これにより、プリンタ個体識別情報がプリンタ用無線タグが設けられたプリンタと合致したときに、操作器から第１記憶手段へ記憶させた印刷データ等をプリンタへ出力することができる。この結果、操作者の意図するプリンタで印刷データの印刷を行うことができる。
【００１９】
第７発明は、上記第６発明において、印刷データ出力手段は、前記読み取り指示信号に応じて、前記第１記憶手段に記憶した前記印刷データ又は前記印刷データの格納先情報の前記複写データを前記プリンタへ出力し、前記プリンタより入力した印刷完了通知に応じて、前記第１記憶手段に記憶した前記印刷データ又は前記印刷データの格納先情報を消去処理する第１印刷データ消去手段を設けた
ことを特徴とする。
【００２０】
これにより、操作器から第１記憶手段へ記憶させた印刷データ等の複写データをプリンタへ出力することができる。この結果、操作者の意図するプリンタで印刷データの印刷を行うことができる。さらにこのとき、プリンタへの印刷完了後には、その第１記憶手段に記憶した印刷データ等を消去することができるので、プライバシー保護の向上や、二重印刷の防止を図ることができる。
【００２１】
第８発明は、上記第１発明において、前記ＩＣ回路部は、前記受信したプリンタ個体識別情報と前記プリンタのプリンタ個体識別情報とが合致しないと前記第１判定手段で判定された場合、無線通信を介し、前記操作器に対し前記印刷データ又は前記印刷データの格納先情報の送信不許可通知を出力する不許可通知出力手段を備えることを特徴とする。
【００２２】
これにより、プリンタ個体識別情報がプリンタ用無線タグが設けられたプリンタと合致しないときに、操作器側において、操作者の意図するプリンタではないことを操作者に対し報知することが可能となる。また送信許可通知が出力される場合でないと印刷データ等をプリンタ側に送らないようにすることで、操作者の意図しない別のプリンタで誤って印刷データ等が印刷されるのを防止することができる。
【００２３】
第９の発明は、上記第１乃至第８発明のいずれか１つにおいて、プリンタに対し有線接続するための外部出力端子を有することを特徴とする。
【００２４】
印刷データ等を外部出力端子から有線接続を介してプリンタ側へ送ることで、プリンタ側より無線通信で印刷データ等を受信することなく、データを取得することができる。この結果、プリンタ側にリーダを設ける必要がなくなり、構造の簡素化及びコスト低減を図れる。
【００２５】
上記目的を達成するために、第１０の発明は、被印刷物に印刷データの印刷を行う印刷手段を有するプリンタであって、前記プリンタでの印刷実行を指示可能な操作器より無線通信を介しプリンタ用無線タグが取得した印刷データ又は前記印刷データの格納先情報及びプリンタ個体識別情報のうち、前記プリンタ個体識別情報を、前記プリンタ用無線タグとの通信により取得する識別情報取得手段と、前記識別情報取得手段で取得したプリンタ個体識別情報が、前記プリンタのプリンタ個体識別情報と合致するかどうかを判定する第２判定手段とを有することを特徴とする。
【００２６】
本願第１０発明においては、被印刷物に対し印刷を行うプリンタに、プリンタ用無線タグが設けられる。操作者が例えば携帯端末等の操作器を用いてプリンタでの印刷実行を指示する際には、操作器から印刷を行うためのプリンタを識別して特定するためのプリンタ個体識別情報や印刷データ（又は印刷データの格納先情報）が送信される。このプリンタ個体識別情報や印刷データ（又は印刷データの格納先情報）は無線通信を介してプリンタ用無線タグにおいて取得される。そして、プリンタに設けた識別情報取得手段が、そのプリンタ用無線タグからプリンタ識別情報を取得する。そして、プリンタの第２判定手段が、その取得したプリンタ個体識別情報がこのプリンタと合致しているかどうかを判定する。この結果、プリンタ個体識別情報がプリンタと合致する場合（＝操作者の意図するプリンタの場合）には、操作器から送信されプリンタ用無線タグで受信した印刷データ等をプリンタ側で取り込み、印刷を行うことが可能となる。逆に、プリンタ個体識別情報がプリンタと合致しない場合（＝操作者の意図するプリンタでない場合）には、操作器からの印刷データ等をプリンタ側でとりこまないようにすることで操作者の意図しないプリンタで印刷されるのを防止可能となる。以上のようにして操作者が操作器を用いて意図するプリンタでの印刷を実行することが可能となる結果、携帯端末等の操作器で例えばネットワーク通信により入手した情報を、プリンタ用無線タグを介し所望のプリンタで手軽かつ容易に印刷することができる。そして、操作器とプリンタ間の物理的な配線を行うことなく、確実に所望のプリンタへのデータ転送が可能となる。
【００２７】
第１１発明は、上記第１０発明において、前記プリンタ用無線タグに設けた外部出力端子に有線接続されており、前記識別情報取得手段は、前記プリンタ用無線タグが取得した前記プリンタ個体識別情報を、前記外部出力端子を介した有線接続通信により取得することを特徴とする。
【００２８】
印刷データ等を外部出力端子から有線接続を介してプリンタ側で取り込むことで、プリンタ用無線タグより無線通信を介さず印刷データ等を取得することができる。この結果、プリンタ側にリーダを設ける必要がなくなり、構造の簡素化及びコスト低減を図れる。
【００２９】
第１２発明は、上記第１０発明において、前記プリンタ用無線タグと無線通信を行うためのプリンタ側アンテナを有し、前記識別情報取得手段は、前記プリンタ用無線タグが取得した前記プリンタ個体識別情報を、前記プリンタ側アンテナを介し、無線通信により取得することを特徴とする。
【００３０】
印刷データ等をプリンタ側アンテナを介しプリンタ側で取り込むことで、プリンタ用無線タグより無線通信を介して印刷データ等を取得することができる。
【００３１】
第１３発明は、上記第１０乃至第１２発明のいずれか１つにおいて、前記識別情報取得手段で取得したプリンタ個体識別情報と前記プリンタのプリンタ個体識別情報とが合致すると前記第２判定手段で判定された場合、そのプリンタ個体識別情報に対応する、前記操作器より無線通信を介し前記プリンタ用無線タグで取得された前記印刷データ又は前記印刷データの格納先情報を取得するデータ取得手段を有し、前記印刷手段は、前記データ取得手段での取得結果に基づき、前記被印刷物に前記印刷データの印刷を行うことを特徴とする。
【００３２】
プリンタ個体識別情報がプリンタ用無線タグが設けられたプリンタと合致する場合（＝操作者の意図するプリンタであった場合）は、データ取得手段でプリンタ用無線タグよりそのプリンタ個体識別情報に対応した印刷データ等を取得する。そして、印刷手段がその取得したデータに応じて印刷データを印刷することで、操作者の意図するプリンタにおいて所望の印刷データの印刷を行うことが可能となる。
【００３３】
第１４発明は、上記第１３発明において、前記データ取得手段で取得した前記印刷データ又は前記印刷データの格納先情報を記憶する第２記憶手段を有し、前記印刷手段は、前記第２記憶手段での記憶結果に基づき、前記被印刷物に前記印刷データの印刷を行うことを特徴とする。
【００３４】
これにより、操作器からプリンタ用無線タグで受信した印刷データ等を操作者の意図するプリンタ側に取り込み第２記憶手段に記憶することができる。その後、第２記憶手段からデータを読み出すことで、操作者の意図するプリンタにおいて印刷データの印刷を行うことができる。
【００３５】
第１５発明は、上記第１３又は第１４発明において、前記データ取得手段は、前記操作器より無線通信を介し前記プリンタ用無線タグで取得された前記印刷データの格納先情報を取得し、その取得した前記格納先情報を用いて前記印刷データの格納先へアクセスし、前記印刷データを取得する印刷データアクセス手段を設け、前記印刷手段は、前記印刷データアクセス手段で取得した前記印刷データを前記被印刷物に印刷することを特徴とする。
【００３６】
これにより、操作器から印刷データそのものを送信しプリンタ用無線タグを介しプリンタ側に転送しなくても、意図するプリンタで所望の印刷データの印刷を行うことが可能となる。この場合、データ転送時間の短縮化や、プリンタ用無線タグの記憶容量の低減を図ることができる。
【００３７】
第１６発明は、上記第１０乃至第１２発明のいずれか１つにおいて、前記識別情報取得手段で取得したプリンタ個体識別情報と前記プリンタのプリンタ個体識別情報とが合致しないと前記第２判定手段で判定された場合、そのプリンタ個体識別情報に対応する、前記操作器より無線通信を介し前記プリンタ用無線タグで取得された前記印刷データ又は前記印刷データの格納先情報を、消去処理する第２印刷データ消去手段を有することを特徴とする。
【００３８】
プリンタ個体識別情報がプリンタと合致しない場合（＝操作者の意図するプリンタでない場合）には、操作器からプリンタ用無線タグで受信された印刷データ等を第２印刷データ消去手段で消去処理する。このようにして、印刷データ等をプリンタ側でとりこまないようにすることで、誤って操作者の意図しないプリンタで印刷データの印刷が実行されるのを防止することができる。また、プリンタ用無線タグの印刷データ等を消去することで、プライバシー保護の向上を図ることもできる。
【００３９】
第１７発明は、上記第１３乃至第１５発明のいずれか１つにおいて、前記印刷による印刷完了後、その印刷に対応する、前記操作器より無線通信を介し前記プリンタ用無線タグで取得された前記印刷データ又は前記印刷データの格納先情報を、消去処理する第３印刷データ消去手段を有することを特徴とする。
【００４０】
印刷が完了した後には、操作器からプリンタ用無線タグで受信した対応する印刷データ等を第３印刷データ消去手段で消去処理する。これにより、プリンタ用無線タグのメモリ容量に空きをつくり次回以降の印刷データを確実に受信できるようにすることができる。また、印刷データ等を消去することで、プライバシー保護の向上を図ることもできる。
【発明の効果】
【００４１】
本発明によれば、簡単な操作で操作器からプリンタへデータを転送し、印刷することができる。
【発明を実施するための最良の形態】
【００４２】
以下、本発明の一実施の形態を図面を参照しつつ説明する。まず、本発明の第１実施形態を図１〜図７により説明する。
【００４３】
図１は、本実施形態のプリンタ（印刷装置）を有する印刷システムの全体構成を表すシステム構成図である。
【００４４】
図１において、印刷システム１は、プリンタ用無線タグＴを備えたプリンタ１０と、このプリンタ１０を無線通信（詳細は後述）を介して操作可能な携帯端末（操作器）１００とを有し、携帯端末１００の操作により印刷実行を指示することで、プリンタ１０により所定の用紙等の被印刷物に印刷を行ってクーポン券などの印刷物Ｓを作成する。
【００４５】
図２は、携帯端末１００の全体構造を表す外観図である。この図２において、携帯端末１００は、周知のように電話機能、ネットワーク機能、及びＢｌｕｅｔｏｏｔｈ等の近距離通信機能を有する携帯電話型端末であり、各種表示を行う表示部１０９と、電話機能を使用する際の番号入力や表示部１０９内の表示情報に基づき各種操作入力を行うための複数の操作キー１１０とを前面パネルに有している。
【００４６】
図３は、携帯端末１００及びプリンタ１０の詳細機能を表す機能ブロック図である。この図３において、携帯端末１００は、各構成要素がＣＰＵ等を含む制御部１１７により制御されて動作するようになっている。
【００４７】
通話の音声信号は、通話用アンテナ１０２Ａ、通話用無線送受信部１０３Ａ及び信号処理部１０４により処理される。すなわち、他の電話装置からの送信電波は通話用アンテナ１０２Ａで受信され、通話用無線送受信部１０３Ａで復調されて受信信号が生成される。この受信信号は、信号処理部１０４で再生のための信号処理が施され、スピーカ１０５から音声として再生される。一方、使用者の音声はマイク１０６に入力されて音声信号に変換される。この音声信号は、信号処理部１０４で送信のための信号処理が施され、通話用無線送受信部１０３Ａへ送られる。通話用無線送受信部１０３Ａは、信号処理部１０４からの音声信号を変調して通話用アンテナ１０２Ａへ供給し、通話用アンテナ１０２Ａはその音声信号を電波として送信する。また同様に、制御部１１７の制御に従いＲＦＩＤ用アンテナ１０２Ｂを介しプリンタ１０との通信を行うＲＦＩＤ用無線送受信部１０３Ｂが設けられている。
【００４８】
制御部１１７には、システムメモリ１１１、電話番号メモリ１１２、データメモリ１１３が接続されている。システムメモリ１１１は、携帯端末１００の有する種々の機能を実行するためのプログラムを予め記憶している。電話番号メモリ１１２は、複数の電話番号をその相手の名前と関連付けて記録している。データメモリ１１３は、印刷を実行させるべきプリンタ１０を識別して特定するためのプリンタＩＤ（プリンタ個体識別情報）及び印刷データ等の各種データを記憶している。
【００４９】
プリンタ１０は、プリンタ本体４００と、このプリンタ本体４００の内部に配置されたリーダ（読み取り器）２００と、プリンタ本体４００の側面に貼り付けられ（図１参照）、無線タグ回路素子Ｔｏを備えた上記プリンタ用無線タグＴとを有している。なお、プリンタ用無線タグＴは通信時のみリーダ２００の通信範囲に位置するようにすれば足りるので、プリンタ１０に固定的に設けられていなくてもよい。
【００５０】
プリンタ本体４００は、携帯端末１００から送られた印刷データを被印刷物に印刷するための印字ヘッド（印刷手段）４０１と、この印字ヘッド４０１を含むプリンタ本体４００全体の動作を制御する制御回路４０２と、上記リーダ２００との間で接続手段３を介して行われる通信の制御を行う通信制御部４０３とを有している。
【００５１】
リーダ２００は、上記プリンタ用無線タグＴに備えられる無線タグ回路素子Ｔoのアンテナ１５１との間で無線通信により信号の授受を行うアンテナ２１０と、このアンテナ２１０を介し無線タグ回路素子ＴoのＩＣ回路部１５０へアクセスする（この例では読み取りを行う）とともに、無線タグ回路素子Ｔoから読み出された信号を処理する高周波回路２０１と、この高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、操作者が操作可能な適宜のボタンやキー等を備えた操作部２０３と、上記プリンタ本体４００との間で接続手段３を介して行われる通信の制御を行う通信制御部２０４とを有している。
【００５２】
図４は、上記プリンタ用無線タグＴに備えられた上記無線タグ回路素子Ｔoの機能的構成の一例を表すブロック図である。
【００５３】
図４において、無線タグ回路素子Ｔoは、上記携帯端末１００のＡＲＦＩＤ用アンテナ１０２Ｂ及び上記リーダ２００のアンテナ２１０と短波帯、ＵＨＦ帯、又はマイクロ波帯等の高周波を用いて非接触で信号の送受信を行う上記アンテナ１５１と、このアンテナ１５１に接続された上記ＩＣ回路部１５０とを有している。
【００５４】
ＩＣ回路部１５０は、アンテナ１５１により受信された質問波を整流する整流部１５２と、この整流部１５２により整流された質問波のエネルギを蓄積し駆動電源とするための電源部１５３と、上記アンテナ１５１により受信された質問波からクロック信号を抽出して制御部１５７に供給するクロック抽出部１５４と、所定の情報信号を記憶し得るメモリ部１５５と、上記アンテナ１５１に接続された変復調部１５６と、上記メモリ部１５５、整流部１５２、クロック抽出部１５４、及び変復調部１５６等を介して上記無線タグ回路素子Ｔoの作動を制御するための制御部１５７とを備えている。
【００５５】
変復調部１５６は、アンテナ１５１により受信された上記携帯端末１００のＲＦＩＤ用アンテナ１０２Ｂ及び上記リーダ２００のアンテナ２１０からの質問波の復調を行い、また、上記制御部１５７からの返信信号を変調し、アンテナ１５１より応答波として送信する。
【００５６】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５７】
クロック抽出部１５４は受信した信号からクロック成分を抽出して制御部１５７にクロックを抽出するものであり、受信した信号のクロック成分の周波数に対応したクロックを制御部１５７に供給する。
【００５８】
図５は、携帯端末１００の制御部１１７によって実行される印刷処理制御手順を表すフローチャートである。
【００５９】
この図５において、まずステップＳ１０では、操作者が操作キー１１０を用いてプリンタ１０による印刷の指示入力を行ったか否かを判定する。印刷の指示入力が行われたときは、判定が満たされて次のステップＳ２０に移る。
【００６０】
ステップＳ２０では、印刷を実行させるプリンタ１０のプリンタＩＤ（プリンタ個体識別情報）を指定し、そのプリンタＩＤに対応するプリンタ１０のプリンタ用無線タグＴに備えられた無線タグ回路素子Ｔoに対し、プリンタＩＤ情報を含む印刷データ書き込み許可要求信号を送信し、次のステップＳ３０に移る。
【００６１】
ステップＳ３０では、上記印刷データ書き込み許可要求信号に対する応答信号をプリンタ１０に備えられた無線タグ回路素子Ｔoから受信したか否かを判定する。印刷データ書き込み許可要求信号に対する応答信号を受信したときは、判定が満たされて次のステップＳ４０において、当該応答信号が印刷データ書き込み許可応答信号（後述）であるか印刷データ書き込み不許可応答信号（後述）であるかを判定する。印刷データ書き込み許可応答信号を受信したときは、次のステップＳ５０に移る。印刷データ書き込み不許可応答信号を受信したときは、本フローを終了する。
【００６２】
ステップＳ５０では、表示部１０９内の表示情報やデータメモリ１１３に記憶されている情報をプリンタ１０の印刷データとしてプリンタ用無線タグＴに送信し、次のステップＳ６０に移る。
【００６３】
ステップＳ６０では、印刷要求受付応答信号（後述）をプリンタ１０に備えられた無線タグＴの無線タグ回路素子Ｔoから受信したか否かを判定する。印刷要求受付応答信号を受信したときは、判定が満たされて本フローを終了する。
【００６４】
図６は、プリンタ用無線タグＴに備えられた無線タグ回路素子Ｔoの制御部１５７によって実行される印刷処理制御手順を表すフローチャートである。
【００６５】
この図６において、まずステップＳ１０５では、印刷データ書き込み許可要求信号を携帯端末１００から受信したか否かを判定する。印刷データ書き込み許可要求信号を受信したときは、判定が満たされて次のステップＳ１１０に移る。
【００６６】
ステップＳ１１０では、印刷データ書き込み許可要求信号のプリンタＩＤが自身のプリンタ１０のプリンタＩＤと合致するか否かを判定する。印刷データ書き込み許可要求信号のプリンタＩＤが自身のプリンタ１０のプリンタＩＤと合致するときは、判定が満たされてステップＳ１１５に移り、印刷データ書き込み許可要求信号のプリンタＩＤが自身のプリンタ１０のプリンタＩＤと合致していないときは、判定が満たされずにステップＳ１２５に移る。
【００６７】
ステップＳ１１５では、無線タグ回路素子Ｔoのメモリ部１５５の残余記憶容量を検出し、メモリ部１５５に空きメモリ領域があるか否かを判定する。メモリ部１５５に空きメモリ領域があるときは、判定が満たされてステップＳ１２０に移り、メモリ部１５５に空きメモリ領域がないときは、判定が満たされずにステップＳ１２５に移る。
【００６８】
ステップＳ１２０では、携帯端末１００に対し、印刷データの書き込みが可能である旨を報知する印刷データ書き込み許可応答信号（送信許可通知）を送信し、ステップＳ１３０に移る。一方、ステップＳ１２５では、携帯端末１００に対し、印刷データの書き込みが不可能である旨を報知する印刷データ書き込み不許可応答信号（送信不許可通知）を送信し、本フローを終了する。
【００６９】
ステップＳ１３０では、携帯端末１００から送信された印刷データを受信したか否かを判定する。印刷データを受信したときは、判定が満たされて次のステップＳ１３５に移る。ステップＳ１３５では、受信した印刷データをメモリ部１５５の空きメモリ領域に記憶する。そして、次のステップＳ１４０において、携帯端末１００に対し、無線タグ回路素子Ｔoへの印刷データの書き込みが完了した旨を報知する印刷要求受付応答信号（書き込み完了通知）を送信し、次のステップＳ１４５に移る。
【００７０】
ステップＳ１４５では、上記プリンタ本体４００から上記リーダ２００を介して読み取り指示信号（後述）を入力したか否かを判定する。読み取り指示信号を入力したときは、判定が満たされて次のステップＳ１５０に移り、自身のプリンタ１０のプリンタＩＤに対応する印刷データがメモリ部１５５に存在する否かを判定する。当該印刷データがメモリ部１５５に存在するときは、判定が満たされて次のステップＳ１５５に移り、当該印刷データがメモリ部１５５に存在しないときは、判定が満たされず本フローを終了する。
【００７１】
ステップＳ１５５では、自身のプリンタ１０のプリンタＩＤに対応する印刷データをメモリ部１５５から読み出し、その印刷データの複写データをプリンタ本体４００に対しリーダ２００を介して転送し、次のステップＳ１６０に移る。
【００７２】
ステップＳ１６０では、プリンタ本体４００からリーダ２００を介して印刷完了通知信号（後述）を入力したか否かを判定する。印刷完了通知信号を入力したときは、判定が満たされて次のステップＳ１６５に移り、印刷が完了した印刷データをメモリ部１５５から消去する。そして、本フローを終了する。
【００７３】
図７は、プリンタ本体４００の制御回路４０２によって実行される印刷処理制御手順を表すフローチャートである。このフローは、プリンタ１０の電源がオンされた時点で開始される。
【００７４】
この図７において、まずステップＳ２０５では、無線タグ回路素子Ｔoのメモリ部１５５に記憶された印刷データを読み取るための読み取り指示信号を、プリンタ用無線タグＴに対しリーダ２００を介して送出し、次のステップＳ２１０に移る。
【００７５】
ステップＳ２１０では、無線タグ回路素子Ｔoのメモリ部１５５から読み取った印刷データ（複写データ）がリーダ２００を介して入力されたか否かを判定する。印刷データが入力されたときは、判定が満たされて次のステップＳ２１５に移る。ステップＳ２１５では、印字ヘッド４０１に制御信号を出力して印字ヘッド４０１を起動させ、入力された印刷データに基づき被印刷物に印刷を施し、次のステップＳ２２０に移る。
【００７６】
ステップＳ２２０では、印刷データに基づいた印刷が完了した旨を報知する印刷完了通知信号を、プリンタ用無線タグＴの無線タグ回路素子Ｔoに対しリーダ２００を介して送出し、ステップＳ２０５に戻る。
【００７７】
次に、本実施形態の印刷システム１により印刷を行う動作について説明する。ここでは、携帯端末１００の表示部１０９に表示されたＷＥＢ情報を印刷するものとする。
【００７８】
携帯端末１００の操作者は、操作キー１１０の操作により所望のサイトにアクセスして、ＷＥＢ情報を取得し、表示部１０９に表示させる（通常の公知のものと同様なので詳細な説明を省略）。その後、操作者は、表示部１０９に表示されたＷＥＢ情報を見て、操作キー１１０により印刷の指示入力を行う。すると、携帯端末１００は、印刷を実行させたいプリンタ１０のプリンタＩＤ情報を含む印刷データ書き込み許可要求信号を送信する。
【００７９】
この印刷データ書き込み許可要求信号は、プリンタ１０のプリンタ用無線タグＴで受信される。プリンタ用無線タグＴは、印刷データ書き込み許可要求信号のプリンタＩＤが自身のプリンタ１０のプリンタＩＤと合致するかどうかを判定し、プリンタＩＤが合致しないときは、携帯端末１００に対し印刷データ書き込み不許可応答信号を送信する。プリンタＩＤが合致するときは、無線タグ回路素子Ｔoのメモリ部１５５に空きメモリ領域があるかどうかを判定し、メモリ部１５５に空きメモリ領域がないときは、携帯端末１００に対し印刷データ書き込み不許可応答信号を送信する。メモリ部１５５に空きメモリ領域があるときは、携帯端末１００に対し印刷データ書き込み許可応答信号を送信する。
【００８０】
携帯端末１００は、印刷すべき印刷データ（この例では表示中のＷＥＢ情報）をプリンタ１０のプリンタ用無線タグＴに送信する。プリンタ用無線タグＴは、携帯端末１００からの印刷データを受信すると、その印刷データをメモリ部１５５の空きメモリ領域へ記憶する。その後、プリンタ用無線タグＴから携帯端末１００に印刷要求受付応答信号が送られる。これにより、操作者は、プリンタ用無線タグＴに送信した印刷データが無事に書き込まれたことを、携帯端末１００において知ることができる。
【００８１】
ここで、プリンタ１０の電源が投入されていなくても、プリンタ用無線タグＴへの印刷データの書き込みは可能であるため、プリンタ１０の電源投入後に印刷を実施することができる。
【００８２】
既にプリンタ１０の電源が投入されている場合には、プリンタ本体４００からの読み取り指示信号がリーダ２００を介してプリンタ用無線タグＴに送られることで、プリンタ用無線タグＴのメモリ部１５５に記憶された印刷データ（複写データ）がリーダ２００を介してプリンタ本体４００に転送される。
【００８３】
すると、プリンタ本体４００は、印字ヘッド４０１を駆動させて、印刷データに基づいた印刷を被印刷物に対して行うことにより、印刷物Ｓを作成する。その後、プリンタ本体４００からの印刷完了通知信号がリーダ２００を介してプリンタ用無線タグＴに送られる。そして、プリンタ用無線タグＴのメモリ部１５５から、印刷が完了した印刷データが消去される。以上により、印刷システムによる印刷処理が完了する。
【００８４】
一方、プリンタ１０の電源がオフになっている場合には、その後に電源が投入されると、プリンタ本体４００からの読み取り指示信号がリーダ２００を介してプリンタ用無線タグＴに送られるため、上記と同様の処理により印刷動作が実施される。
【００８５】
以上において、無線タグ回路素子Ｔoの制御部１５７によって実行される図６に示すステップＳ１１０は、プリンタ１０での印刷実行を指示可能な操作器１００より無線通信を介してタグ側アンテナ１５１で受信したプリンタ個体識別情報が、プリンタ１０のプリンタ個体識別情報と合致するかどうかを判定する第１判定手段を構成する。
【００８６】
無線タグ回路素子Ｔoのメモリ部１５５と図６に示すステップＳ１３５とは、受信したプリンタ個体識別情報とプリンタ１０のプリンタ個体識別情報とが合致すると第１判定手段で判定された場合、タグ側アンテナ１５１で受信されプリンタ個体識別情報に対応した印刷データ又は印刷データの格納先情報を記憶する第１記憶手段を構成する。
【００８７】
図６に示すステップＳ１４０は、第１記憶手段への印刷データ又は印刷データの格納先情報の記憶後、無線通信を介し、操作器１００に対し印刷データ又は印刷データの格納先情報の書き込み完了通知を出力する書き込み完了通知出力手段を構成する。
【００８８】
図６に示すステップＳ１１５は、受信したプリンタ個体識別情報とプリンタ１０のプリンタ個体識別情報とが合致すると第１判定手段で判定された場合、第１記憶手段１５５への印刷データ又は印刷データの格納先情報の記憶に先立ち、第１記憶手段１５５の残余記憶容量を検出する容量検出手段を構成する。
【００８９】
図６に示すステップＳ１２０は、容量検出手段で検出した第１記憶手段１５５の残余記憶容量に応じて、無線通信を介し、操作器１００に対し印刷データ又は印刷データの格納先情報の送信許可通知を出力する許可通知出力手段を構成する。
【００９０】
図６に示すステップＳ１４５〜Ｓ１５５は、プリンタ４００より入力した読み取り指示信号に応じて、第１記憶手段に記憶した印刷データ又は印刷データの格納先情報、若しくは、その複写データを、プリンタ４００へ出力する印刷データ出力手段を構成する。
【００９１】
図６に示すステップＳ１６０〜Ｓ１６５は、プリンタ４００より入力した印刷完了通知に応じて、第１記憶手段に記憶した印刷データ又は印刷データの格納先情報を消去処理する第１印刷データ消去手段を構成する。
【００９２】
図６に示すステップＳ１２５は、受信したプリンタ個体識別情報とプリンタ１０のプリンタ個体識別情報とが合致しないと第１判定手段で判定された場合、無線通信を介し、操作器１００に対し印刷データ又は印刷データの格納先情報の送信不許可通知を出力する不許可通知出力手段を構成する。
【００９３】
以上説明したように、本実施形態においては、プリンタ１０のプリンタ用無線タグＴで受信された携帯端末１００からのプリンタＩＤが自身のプリンタ１０のプリンタＩＤと合致するときは、携帯端末１００からプリンタ用無線タグＴに印刷データを送り、その後プリンタ用無線タグＴからリーダ２００を介してプリンタ本体４００に印刷データを送る。この結果、操作者の意図するプリンタ１０により印刷を行うことができる。逆に、携帯端末１００からのプリンタＩＤが自身のプリンタ１０のプリンタＩＤと合致しないときは、携帯端末１００からプリンタ１０に印刷データを送らないようにする。したがって、操作者の意図しないプリンタで印刷を行うことを防止することができる。
【００９４】
このようにして操作者が携帯端末１００を用いて意図するプリンタ１０での印刷を実行することが可能となる結果、携帯端末１００で例えばネットワーク通信により入手した情報を、プリンタ用無線タグＴを介し所望のプリンタ１０で手軽かつ容易に印刷することができる。そして、携帯端末１００とプリンタ１０間の物理的な配線を行うことなく、確実に所望のプリンタ１０へのデータ転送が可能となる。
【００９５】
また、プリンタ用無線タグＴは、メモリ部１５５に記憶可能なデータ量が十分なときのみ、印刷データ書き込み許可応答信号を携帯端末１００に送信するので、メモリ部１５５の空きメモリ容量が十分でない場合に、携帯端末１００からプリンタ用無線タグＴに印刷データが送られることでデータ転送エラー等が発生するのを防止することができる。
【００９６】
さらに、プリンタ１０による印刷が完了した後には、プリンタ用無線タグＴのメモリ部１５５に記憶された印刷データを消去するので、プライバシー保護の向上や、二重印刷の防止を図ることができる。
【００９７】
次に、本発明の第２実施形態を図８〜図１０により説明する。図中、第１実施形態と同一または同等の要素には同じ符号を付し、その説明を省略する。
【００９８】
図８は、本実施形態のプリンタ（印刷装置）を有する印刷システムにおいてプリンタの詳細機能を表す機能ブロック図である。
【００９９】
この図８において、本実施形態のプリンタ１０Ａは、プリンタ本体４００Ａと、このプリンタ本体４００Ａと有線接続手段４を介して接続されたプリンタ用無線タグＴ′とを有している。
【０１００】
プリンタ本体４００Ａは、上記の印字ヘッド４０１、制御回路４０２、及び通信制御部４０３に加え、メモリ部４０４を有している。メモリ部４０４は、例えばバッファメモリとして構成されている。メモリ部４０４には、携帯端末１００より無線通信を介してプリンタ用無線タグＴ′で取得された印刷データ等が順次記憶される。
【０１０１】
プリンタ用無線タグＴ′のメモリ部１５５は、この例ではデュアルポートタイプのメモリとして構成されている。メモリ部１５５の一方のポート１５５ａは、制御部１５７と接続されている。メモリ部１５５Ａの他方のポート１５５ｂは外部出力端子であり、上記の有線接続手段４を介してプリンタ本体４００Ａの通信制御部４０３と接続されている。
【０１０２】
図９は、プリンタ用無線タグＴ′に備えられた無線タグ回路素子Ｔoの制御部１５７によって実行される印刷制御手順を表すフローチャートであり、前述の図６に対応する図である。
【０１０３】
この図９において、まずステップＳ１０５では、印刷データ書き込み許可要求信号を携帯端末１００から受信したか否かを判定し、印刷データ書き込み許可要求信号を受信したときは、判定が満たされて次のステップＳ１１５に移り、無線タグ回路素子Ｔoのメモリ部１５５に空きメモリ領域があるか否かを判定する。
【０１０４】
その後、前述の図６に示す手順と同じステップＳ１２０〜Ｓ１３０を実行し、ステップＳ１３０において携帯端末１００からの印刷データを受信したときは、次のステップＳ１３５Ａに移り、受信した印刷データを印刷データ書き込み許可要求信号のプリンタＩＤと共にメモリ部１５５の空きメモリ領域に記憶する。そして、次のステップＳ１４０において、携帯端末１００に対し印刷要求受付応答信号を送信し、本フローを終了する。
【０１０５】
図１０は、プリンタ本体４００Ａの制御回路４０２によって実行される印刷処理制御手順を表すフローチャートである。このフローは、プリンタ１０Ａの電源がオンされた時点で開始される。
【０１０６】
この図１０において、まずステップＳ２５０では、携帯端末１００より送信されてプリンタ用無線タグＴ′のメモリ部１５５に記憶された全てのプリンタＩＤを有線接続手段４を介して取得し、次のステップＳ２５５に移る。
【０１０７】
ステップＳ２５５では、全ての取得したプリンタＩＤのうち、自身のプリンタ１０ＡのプリンタＩＤと合致するプリンタＩＤがあるか否かを判定する。自身のプリンタ１０ＡのプリンタＩＤと合致するプリンタＩＤがあるときは、判定が満たされて次のステップＳ２６０に移り、自身のプリンタ１０ＡのプリンタＩＤと合致するプリンタＩＤがないときは、判定が満たされず次のステップＳ２８０に移る。
【０１０８】
ステップＳ２６０では、合致したプリンタＩＤに対応する印刷データの複写データをメモリ部１５５から有線接続手段４を介して取得する。このとき併せて、合致しないプリンタＩＤに対応する印刷データは消去するのが好ましい。そして、次のステップＳ２６５において、取得した印刷データをメモリ部４０４に記憶する。そして、次のステップＳ２７０において、印字ヘッド４０１に制御信号を出力して印字ヘッド４０１を起動させ、メモリ部４０４に記憶された印刷データに基づき被印刷物に印刷を施し、次のステップＳ２７５に移る。
【０１０９】
ステップＳ２７５では、印刷が完了した自身のプリンタ１０ＡのプリンタＩＤに対応する印刷データを外部出力端子４を介してメモリ部１５５から消去し、ステップＳ２５０に戻る。一方、ステップＳ２８０では、自身のプリンタ１０Ａと合致しないプリンタＩＤに対応する印刷データを外部出力端子４を介してメモリ部１５５から消去し、ステップＳ２５０に戻る。
【０１１０】
次に、本実施形態の印刷システム１により印刷を行う動作について説明する。ここでも、携帯端末１００の表示部１０９に表示されたＷＥＢ情報を印刷するものとする。
【０１１１】
携帯端末１００の操作者が操作キー１１０により印刷の指示入力を行うと、印刷を実行させるプリンタ１０ＡのプリンタＩＤ情報を含む印刷データ書き込み許可要求信号が携帯端末１００からプリンタ１０Ａのプリンタ用無線タグＴ′に送られる。
【０１１２】
すると、プリンタ用無線タグＴ′は、メモリ部１５５に空きメモリ領域があるかどうかを判定し、メモリ部１５５に空きメモリ領域がないときは、プリンタ用無線タグＴ′から携帯端末１００に印刷データ書き込み不許可応答信号が送られる。メモリ部１５５に空きメモリ領域があるときは、プリンタ用無線タグＴ′から携帯端末１００に印刷データ書き込み許可応答信号が送られる。
【０１１３】
携帯端末１００は、印刷データ書き込み許可応答信号を受信すると、プリンタ１０Ａのプリンタ用無線タグＴ′に書き込むべき印刷データ（この例では表示中のＷＥＢ情報）をプリンタ用無線タグＴ′に送信する。プリンタ用無線タグＴ′は、携帯端末１００からの印刷データを受信すると、その印刷データをプリンタＩＤ情報と共にメモリ部１５５の空きメモリ領域へ記憶する。その後、プリンタ用無線タグＴ′から携帯端末１００に印刷要求受付応答信号が送られる。
【０１１４】
既にプリンタ１０Ａの電源が投入されている場合には、プリンタ用無線タグＴ′のメモリ部１５５に記憶されている全てのプリンタＩＤが有線接続手段４を介してプリンタ本体４００Ａに転送される。プリンタ本体４００Ａでは、取得したプリンタＩＤのうち自身のプリンタ１０Ａと合致するものが存在するかどうかが判定され、合致するプリンタＩＤが存在するときは、合致するプリンタＩＤに対応する印刷データ（複写データ）が有線接続手段４を介してプリンタ本体４００Ａに転送され、メモリ部４０４に記憶される。
【０１１５】
すると、プリンタ本体４００は、印字ヘッド４０１を駆動させて、メモリ部４０４に記憶された印刷データに基づいた印刷を被印刷物に対して行うことにより、印刷物Ｓを作成する。その後、プリンタ用無線タグＴ′のメモリ部１５５に記憶されている全ての印刷データが消去される。以上により、印刷システム１による印刷処理が完了する。
【０１１６】
一方、プリンタ１０の電源がオフになっている場合には、その後に電源が投入されると、上記と同様の処理により印刷動作が実施される。
【０１１７】
以上において、プリンタ本体４００Ａの制御回路４０２によって実行される図１０に示すステップＳ２５０は、プリンタ１０Ａでの印刷実行を指示可能な操作器１００より無線通信を介しプリンタ用無線タグＴ′が取得した印刷データ又は印刷データの格納先情報及びプリンタ個体識別情報のうち、プリンタ個体識別情報を、プリンタ用無線タグＴ′との通信により取得する識別情報取得手段を構成する。同ステップＳ２５５は、識別情報取得手段で取得したプリンタ個体識別情報が、プリンタ１０Ａのプリンタ個体識別情報と合致するかどうかを判定する第２判定手段を構成する。
【０１１８】
図１０に示すステップＳ２６０は、識別情報取得手段で取得したプリンタ個体識別情報とプリンタ１０Ａのプリンタ個体識別情報とが合致すると第２判定手段で判定された場合、そのプリンタ個体識別情報に対応する、操作器１００より無線通信を介しプリンタ用無線タグＴ′で取得された印刷データ又は印刷データの格納先情報を取得するデータ取得手段を構成する。
【０１１９】
図１０に示すステップＳ２８０は、識別情報取得手段で取得したプリンタ個体識別情報とプリンタ１０Ａのプリンタ個体識別情報とが合致しないと第２判定手段で判定された場合、そのプリンタ個体識別情報に対応する、操作器１００より無線通信を介しプリンタ用無線タグＴ′で取得された印刷データ又は印刷データの格納先情報を、消去処理する第２印刷データ消去手段を構成する。
【０１２０】
以上説明したように、本実施形態においては、携帯端末１００からプリンタ１０Ａのプリンタ用無線タグＴ′を介してプリンタ本体４００Ａに送られたプリンタＩＤが自身のプリンタ１０ＡのプリンタＩＤと合致するときは、携帯端末１００からプリンタ用無線タグＴ′に送られた印刷データをプリンタ本体４００Ａに取り込んで印刷を行う。プリンタＩＤが合致しないときは、印刷データをプリンタ本体４００Ａに取り込まないようにする。従って、第１実施形態と同様に、操作者の意図しないプリンタで印刷を行うことを防止することができる。なお、このようにプリンタ本体４００ＡにおいてプリンタＩＤ識別機能を持つのに加え、さらに上記第１実施形態のように無線タグ側でも併せてプリンタＩＤ識別機能を持つようにしてもよい。この場合は第１実施形態と第２実施形態との相乗効果によりさらに確実に意図しない印刷の防止を図ることができる。
【０１２１】
また、携帯端末１００からプリンタ１０Ａに送られたプリンタＩＤが自身のプリンタ１０ＡのプリンタＩＤと合致しないときは、携帯端末１００からプリンタ用無線タグＴ′に送られた印刷データを消去するので、プライバシー保護の向上を図ることができる。
【０１２２】
さらに、印刷データ等をプリンタ用無線タグＴ′のメモリ部１５５の外部出力端子１５５ｂから有線接続を介してプリンタ本体４００Ａに取り込むことで、プリンタ用無線タグＴ′より無線通信を介さず印刷データ等を取得することができる。従って、プリンタ１０Ａにリーダを設ける必要がなくなり、構造の簡素化及びコスト低減を図ることができる。
【０１２３】
なお、本発明は、上記の各実施形態に限られず、その趣旨と技術思想の範囲を逸脱しない範囲で更に種々の変形が可能である。以下その変形例を説明する。
【０１２４】
（１）印刷データをネットワークに接続されたサーバから取得する場合
上記第２実施形態では、プリンタ１０Ａによる印刷対象である印刷データを携帯端末１００からプリンタ用無線タグＴ′を介して取得するようにしたが、特にこれに限られず、例えばネットワークに接続されたサーバ等のデータベースに印刷データを格納するようにしてもよい。
【０１２５】
図１１は、本変形例の印刷システムの全体構成を表すシステム構成図であり、前述の図１に対応する図である。図１と同様の部分には同符号を付し説明を省略する。
【０１２６】
この図１１に示すように、印刷システム１Ａは、通信回線５を介してプリンタ１０Ａと情報の送受可能に接続された情報サーバ７を有している。この場合には、携帯端末１００は、印刷データを無線通信によりプリンタ用無線タグＴ′に送信してメモリ部１５５に記憶させる代わりに、印刷データが格納されている情報サーバ７の格納先アドレス情報を無線通信によりプリンタ用無線タグＴ′に送信してメモリ部１５５に記憶させる。
【０１２７】
図１２は、本変形例においてプリンタ本体４００Ａの制御回路４０２によって実行される印刷処理制御手順を表すフローチャートであり、前述の図１０に対応する図である。図１０と同様の部分には同符号を付し説明を省略する。
【０１２８】
この図１２に示すように、ステップＳ２５５において自身のプリンタ１０ＡのプリンタＩＤと合致するプリンタＩＤがあると判定されたときは、判定が満たされて次のステップＳ２６０Ａに移る。ステップＳ２６０Ａでは、合致したプリンタＩＤに対応する印刷データが格納されている情報サーバ７の格納先アドレス情報を有線接続手段４を介して取得する。このとき併せて、合致しないプリンタＩＤに対応する格納先アドレス情報は消去するのが好ましい。そして、次のステップＳ２６３において、その取得した格納先アドレス情報を用いて通信回線５を介して情報サーバ７へアクセスし、情報サーバ７から印刷データを取得する。
【０１２９】
本変形例においては、携帯端末１００から印刷データそのものを送信しプリンタ用無線タグＴ′を介しプリンタ本体４００Ａに転送しなくても、意図するプリンタ１０Ａで所望の印刷データの印刷を行うことが可能となる。この場合には、データ転送時間の短縮化や、プリンタ用無線タグＴ′の記憶容量の低減を図ることができる。
【０１３０】
（２）その他
上記第１実施形態では、プリンタ１０にリーダ２００を設け、プリンタ用無線タグＴのメモリ部１５５に記憶された印刷データ等を無線通信によりプリンタ本体４００に取り込むようにしたが、特にこれに限られない。すなわち、上記第２実施形態のようにプリンタ用無線タグＴとプリンタ本体４００とを有線接続し、プリンタ用無線タグＴのメモリ部１５５に記憶された印刷データ等を有線接続を介してプリンタ本体４００に取り込むようにしてもよい。
【０１３１】
上記第２実施形態では、プリンタ用無線タグＴ′のメモリ部１５５に記憶された印刷データ等を有線接続手段４を介してプリンタ本体４００Ａに取り込むようにしたが、特にこれに限られず、上記第１実施形態のようにプリンタ１０にリーダ２００を設け、プリンタ用無線タグＴ′のメモリ部１５５に記憶された印刷データ等を無線通信によりプリンタ本体４００Ａに取り込むようにしてもよい。
【０１３２】
また、上記第１及び第２実施形態では、プリンタ用無線タグのメモリ部１５５に記憶された印刷データの複写データをプリンタ本体へ送出するようにしたが、特にこれに限られず、プリンタ用無線タグのメモリ部１５５に記憶された印刷データそのものをプリンタ本体へ送出する（移動させる）ようにしてもよい。
【０１３３】
また、以上既に述べた以外にも、上記実施形態や各変形例による手法を適宜組み合わせて利用しても良い。
【０１３４】
その他、一々例示はしないが、本発明は、その趣旨を逸脱しない範囲内において、種々の変更が加えられて実施されるものである。
【図面の簡単な説明】
【０１３５】
【図１】本発明の第１実施形態によるプリンタ（印刷装置）を有する印刷システムの全体構成を表すシステム構成図である。
【図２】図１に示した携帯端末の全体構造を表す外観図である。
【図３】図１に示した携帯端末及びプリンタの詳細機能を表す機能ブロック図である。
【図４】図３に示したプリンタ用無線タグに備えられた無線タグ回路素子の機能的構成の一例を表すブロック図である。
【図５】図３に示した携帯端末の制御部によって実行される印刷処理制御手順を表すフローチャートである。
【図６】図４に示したプリンタ用無線タグに備えられた無線タグ回路素子の制御部によって実行される印刷処理制御手順を表すフローチャートである。
【図７】図３に示したプリンタ本体の制御回路によって実行される印刷処理制御手順を表すフローチャートである。
【図８】本発明の第２実施形態によるプリンタ（印刷装置）を有する印刷システムにおいてプリンタの詳細機能を表す機能ブロック図である。
【図９】図８に示したプリンタ用無線タグに備えられた無線タグ回路素子の制御部によって実行される印刷制御手順を表すフローチャートである。
【図１０】図８に示したプリンタ本体の制御回路によって実行される印刷処理制御手順を表すフローチャートである。
【図１１】印刷データをネットワークから取得する場合の変形例において、印刷システムの全体構成を表すシステム構成図である。
【図１２】図１１に示したプリンタのプリンタ本体の制御回路によって実行される印刷処理制御手順を表すフローチャートである。
【符号の説明】
【０１３６】
１              印刷システム
１′            印刷システム
１０            プリンタ
１０Ａ          プリンタ
１００          形態端末（操作器）
１５０          ＩＣ回路部
１５１          アンテナ（タグ側アンテナ）
１５５          メモリ部（第１記憶手段）
１５５ｂ        ポート（外部出力端子）
１５７          制御部（第１判定手段、第１記憶手段、書き込み完了通知出力手段、容量検出手段、許可通知手段、印刷データ出力手段、第１印刷データ消去手段、不許可通知手段）
２００          リーダ
２１０          アンテナ（プリンタ側アンテナ）
４００          プリンタ本体（プリンタ）
４００Ａ        プリンタ本体（プリンタ）
４０１          印字ヘッド（印刷手段）
４０２          制御回路（識別情報取得手段、第２判定手段、データ取得手段、第２印刷データ消去手段）
４０４          メモリ部（第２記憶手段）
Ｔ              プリンタ用無線タグ
Ｔ′            プリンタ用無線タグ
Ｔo             無線タグ回路素子
【図１】
0004984327.tif 000002
【図２】
0004984327.tif 000003
【図３】
0004984327.tif 000004
【図４】
0004984327.tif 000005
【図５】
0004984327.tif 000006
【図６】
0004984327.tif 000007
【図７】
0004984327.tif 000008
【図８】
0004984327.tif 000009
【図９】
0004984327.tif 000010
【図１０】
0004984327.tif 000011
【図１１】
0004984327.tif 000012
【図１２】
0004984327.tif 000013